(57)【要約】【課題】プッシュプル増幅器を備えた高周波出力増幅器における歪みを改善する。【解決手段】スプリアス信号を含むことのある高周波信号を、複数のスプリアス信号除去用のフィルタ６−１乃至６−ｎのうち選択されたものに通過させ、この通過した高周波信号の正側位相信号をプッシュプル増幅器１４の正側増幅器２０ｐで増幅し、負側位相信号を負側増幅器２０ｎで増幅する。正側増幅器２０ｐ及び負側増幅器２０ｎの入力側にそれぞれ可変抵抗器２４ｐ、２４ｎが設けられている。【選択図】　　　　図１
2004048620.tif 000002
【特許請求の範囲】
【請求項１】
スプリアス信号を含むことのある高周波信号を、複数のスプリアス信号除去用のフィルタ手段のうち選択されたものに通過させる信号選択手段と、
この信号選択手段を通過した前記高周波信号の正側位相信号を増幅する正側位相増幅手段と、前記信号選択手段を通過した前記高周波信号の負側位相信号を増幅する負側位相増幅手段とを、備えるプッシュプル増幅手段と、
前記正側増幅手段及び前記負側増幅手段の入力側にそれぞれ設けられたレベル調整手段とを、
具備する高周波出力増幅器。
【請求項２】
請求項１記載の高周波出力増幅器が、テレビジョン信号変調器の最終段である高周波出力増幅器。
【発明の詳細な説明】
【０００１】
【発明の属する技術分野】
本発明は、例えば変調器等の最終段に使用される高周波出力増幅器に関する。
【０００２】
【従来の技術】
上述したように高周波出力増幅器は、変調器、例えばＣＡＴＶ施設のヘッドエンドにおいて使用するテレビジョン変調器の最終段に使用することがある。この最終段の高周波出力増幅器において、スプリアス放射レベルは、予め定められた値、例えばキャリア信号に対して電圧比で６０ｄＢよりも低い値に抑えることが求められる。これらの要求を満足させるためには、二次歪みや三次歪みのような歪みの発生の少ない直線性が良好な増幅器が、出力増幅器として求められる。そこで、歪み特性の改善のために、出力増幅器をプッシュプル構成にすることが多い。
【０００３】
【発明が解決しようとする課題】
プッシュプル増幅器では、入力される高周波信号の正側位相信号を増幅する増幅段と、同高周波信号の負側位相信号を増幅する増幅段とを、組み合わせている。両増幅段が、同じ特性であって、利得や歪み特性が全く同じであれば、プッシュプル増幅器での歪みを抑えることができる。しかし、実際には、両増幅段の利得や不済み特性を完全に同一に構成することができず、歪みの発生が生じていた。
【０００４】
本発明は、歪みの発生を抑えることができる高周波出力増幅器を提供することを目的とする。
【０００５】
【課題を解決するための手段】
本発明による高周波出力増幅器は、信号選択手段を有している。この信号選択手段は、それぞれ周波数特性が異なる複数のフィルタ手段を有し、これらのうち選択されたフィルタ手段に、スプリアス信号を含むことのある高周波信号を、通過させるものである。この信号選択手段は、例えば、この信号選択手段の前段に設けられた高周波信号の増幅手段において発生したスプリアス信号を除去するためのものである。この信号選択手段を通過した前記高周波信号は、プッシュプル増幅手段に供給される。このプッシュプル増幅手段は、正側位相増幅手段と負側位相増幅手段とを有し、正側位相増幅手段は、信号選択手段からの高周波信号の正側位相信号を増幅する。負側位相増幅手段は、信号選択手段を通過した高周波信号の負側位相信号を増幅する。前記正側増幅手段及び前記負側増幅手段の入力側にレベル調整手段がそれぞれ設けられている。この高周波出力増幅器は、例えばテレビジョン信号変調器の最終段とすることができる。
【０００６】
本発明による高周波出力増幅器によれば、正側及び負側位相増幅手段それぞれの入力側にレベル調整手段が設けられているので、正側及び負側位相増幅手段において、個別に高周波信号のレベルを調整することができ、両位相増幅手段の利得や位相特性に相違があっても、歪みの発生を抑えることができる。このように歪みを抑えた高周波出力増幅器は、直線性が良好であり、例えば共同受信施設のヘッドエンド等において使用する自主放送用のテレビジョン信号変調器の最終段に最適である。
【０００７】
【発明の実施の形態】
本発明の１実施の形態の高周波出力増幅器は、例えば共同受信施設のヘッドエンドにおいて使用することがある自主放送用のテレビジョン信号変調器の最終出力段に使用されている。
【０００８】
テレビジョン信号変調器では、自主放送用のベースバンド信号によって高周波信号である搬送波が変調される。この変調信号が、図示しない初段の増幅手段によって増幅される。このとき、初段の増幅手段の特性によっては、スプリアス信号を含んだ出力信号を、初段の増幅手段が発生することがある。
【０００９】
この手段の増幅手段の出力信号が、入力端子２に供給される。この入力端子２は、信号選択手段、例えば信号選択部４の入力側に接続されている。信号選択部４は、それぞれ通過帯域が異なる複数のバンドパスフィルタ６―１乃至６−ｎを並列に接続したもので、それらの入力側及び出力側には、選択手段が設けられている。入力側の選択手段８は、例えば入力端子２と各バンドパスフィルタ６−１乃至６−ｎの入力側との間にそれぞれ接続された開閉スイッチ、例えば半導体スイッチング素子８−１乃至８−ｎが設けられている。これら半導体スイッチング素子８−１乃至８−ｎは、例えばＰＩＮダイオードによって構成されている。同様に、各バンドパスフィルタ６−１乃至６−ｎの出力側と、出力端子１０との間に、出力側の選択手段１２として、開閉スイッチ、例えば半導体スイッチング素子１２−１乃至１２−ｎが設けられている。これら半導体スイッチング素子１２−１乃至１２−ｎも、例えばＰＩＮダイオードによって構成されている。
【００１０】
これら入力側及び出力側の各開閉スイッチ８−１乃至８−ｎ、１２−１乃至１２−ｎは、制御手段、例えば切換制御部１４によって制御され、各バンドパスフィルタ６−１乃至６−ｎのうち、いずれか１つを、変調信号が通過して、出力端子１０に出力されるように、入力側と出力側とで同期して制御される。例えば、バンドパスフィルタ６−２に変調信号を通過させる場合、開閉スイッチ８−２、１２−２が閉成され、他の開閉スイッチは開放される。
【００１１】
出力端子１０は、プッシュプル増幅手段、例えばプッシュプル増幅器１６に接続されている。このプッシュプル増幅器１６は、入力変成器１８を有し、その出力端子１８ｐには、出力端子１０からの変調信号の正側位相の信号、例えば正側電圧信号が出力され、その出力端子１８ｎには、出力端子１０からの変調信号の負側位相の信号、例えば負側電圧信号が出力される。そのため、入力側変成器１８は、一次巻線１８ａと二次巻線１８ｂとを有し、一次巻線１８ａの一端が出力端子１０に接続され、他端が出力端子１８ｐとされ、二次巻線１８ｂの一端が接地され、他端が出力端子１８ｎとされている。
【００１２】
変成器１８の出力端子１８ｐは、正側位相増幅手段、例えば正側増幅器２０ｐの入力側に接続されている。変成器１８の出力端子１８ｎは、負側位相増幅手段、例えば負側増幅器２０ｎの入力側に接続されている。正側及び負側増幅器２０ｐ、２０ｎは、同一利得、同一位相特性を持つ電圧増幅器として設計されているが、実際には部品の性能のバラツキ等の影響によって、微妙に利得や位相特性が異なるものである。これら正側及び負側増幅器２０ｐ、２０ｎの出力信号、例えば出力電圧は、出力側変成器２２によって合成され、出力端子２３に出力され、この出力端子２３から共同受信施設の伝送路に出力されている。このプッシュプル増幅器１６は、変成器２２によって出力を合成するダブルエンデッドプッシュプル増幅器に構成されている。なお、シングルエンデッドプッシュプル増幅器に構成することもできる。
【００１３】
正側増幅器２０ｐ、負側増幅器２０ｎの入力側には、レベル調整手段、例えば可変抵抗器２４ｐ、２４ｎが設けられている。これらは、いずれも一端が接地され、他端が開放されている。可変抵抗器２４ｐの摺動子は、出力端子１８ｐに接続されると共に正側増幅器２０ｐの入力側に接続されている。可変抵抗器２４ｎの摺動子は、出力端子１８ｎに接続されると共に負側増幅器２０ｎの入力側に接続されている。
【００１４】
このように構成された高周波出力増幅器では、入力端子２に供給された変調信号に含まれているスプリアス信号を除去できるバンドパスフィルタが選択され、このバンドパスフィルタに変調信号が供給されるように切換制御部１４から制御信号が供給される。このバンドパスフィルタの決定は、例えばスペクトルアナライザを入力端子２に接続して、変調信号に含まれるスプリアス信号を調べることによって行える。
【００１５】
また、正側及び負側増幅器２０ｐ、２０ｎの調整は、出力端子２３にスペクトルアナライザを接続し、出力信号に現れる歪み、特に、二次歪み成分を観測しながら、二次歪みのレベルが所定のレベル、例えば搬送波に対し、電圧比で６０ｄＢ以下になるように、可変調整器２４ｐ、２４ｎを調整する。
【００１６】
このように、この高周波出力増幅器では、正側及び負側増幅器２０ｐ、２０ｎの入力側に可変抵抗器２４ｐ、２４ｎを設けているので、正側及び負側増幅器２０ｐ、２０ｎの二次歪みを打ち消しあうように信号レベルを調整することができるので、所定のレベルまで二次歪みを下げることができる。しかも、通常のプッシュプル増幅器に対して、可変抵抗器２４ｐ、２４ｎを設けるだけの簡単な構成で、プッシュプル増幅器の本体の性能を充分に引き出すことができる。しかも、可変抵抗器２４ｐ、２４ｎの調整によって、正側及び負側増幅器２０ｐ、２０ｎの利得や歪み等の特性委のバラツキを吸収することができる。
【００１７】
上記の実施の形態では、プッシュプル増幅器には、ダブルエンデッドプッシュプル増幅器を使用したが、シングルエンデッドプッシュプル増幅器を使用することもできる。また、上記の実施の形態では、本発明による高周波出力増幅器をテレビジョン信号変調器の出力段として使用したが、他の機器の高周波出力増幅器として使用することもできる
【００１８】
【発明の効果】
以上のように、本発明によれば、入力される高周波信号に含まれるスプリアス信号を除去した上に、プッシュプル増幅器において歪みの発生を、抑圧することができる。
【図面の簡単な説明】
【図１】本発明の１実施形態の高周波出力増幅器のブロック図である。
【符号の説明】
４　信号選択部（信号選択手段）
１６　プッシュプル増幅器
２０ｐ　正側増幅器（正側位相信号増幅手段）
２０ｎ　負側増幅器（負側位相信号増幅手段）
２４ｐ　２４ｎ　可変抵抗器（レベル調整手段）
【図１】
2004048620.tif 000003